(57)【要約】【課題】生産性の向上の点で有利な成形装置を提供する。【解決手段】型を用いて基板上の組成物を成形する成形装置であって、吐出口から組成物を吐出して、基板の上面に組成物を供給する供給部と、基板を保持する基板保持部と、基板保持部に配置され、吐出口の下面よりも低く、基板保持部に保持された基板の上面よりも高い位置に配置される先端を有する突起部と、供給部が基板に組成物を供給する前に、突起部を、吐出口の直下を通過させる第１の駆動部と、を有する。【選択図】図１
2020136347.tif 000002
【特許請求の範囲】
【請求項１】
型を用いて基板上の組成物を成形する成形装置であって、
吐出口から前記組成物を吐出して、前記基板の上面に前記組成物を供給する供給部と、
前記基板を保持する基板保持部と、
前記基板保持部に配置され、前記吐出口の下面よりも低く、前記基板保持部に保持された基板の前記上面よりも高い位置に配置される先端を有する突起部と、
前記供給部が前記基板に前記組成物を供給する前に、前記突起部を、前記吐出口の直下を通過させる第１の駆動部と、を有する、ことを特徴とする成形装置。
【請求項２】
前記先端の高さは前記吐出口の下面よりも５０ｕｍ〜２００ｕｍ低い位置に配置される、ことを特徴とする請求項１に記載の成形装置。
【請求項３】
前記突起部と対向可能な位置であって、前記供給部に対して、前記突起部が前記吐出口の直下を通過する際の進行方向側に排気機構を有し、
前記排気機構は、前記供給部が前記基板の上面に前記組成物を供給する際の排気量よりも、前記突起部が前記吐出口の直下を通過する際の排気量が大きくなるように前記排気機構の排気量を調整する調整部を備える、ことを特徴とする請求項１または２に記載の成形装置。
【請求項４】
前記突起部は、前記基板保持部に保持された基板に対して、前記組成物の供給時の前記基板保持部の進行方向側に配置される、ことを特徴とする請求項１乃至３のいずれか１項に記載の成形装置。
【請求項５】
前記吐出口から吐出された組成物を受ける受部を備え、
前記供給部は、前記基板に前記組成物を供給する前に、前記受部に組成物を供給する、ことを特徴とする請求項１乃至４のいずれか１項に記載の成形装置。
【請求項６】
前記受部は、前記突起部に対して、前記突起部が前記吐出口の直下を通過する際の進行方向側に配置され、前記突起部と一体に構成されることを特徴とする請求項５項に記載の成形装置
【請求項７】
前記受部は、前記吐出口から吐出された組成物を前記受部外へ排出するための溝または孔を有することを特徴とする、請求項５又は６に記載の成形装置。
【請求項８】
前記先端の、前記基板保持部に保持された基板とは反対側の面である第１の面は傾斜しており、前記第１の面と、前記先端の、前記基板保持部に保持された基板側の面である第２の面とが成す角度は、９０°以下である、ことを特徴とする請求項１乃至７のいずれか１項に記載の成形装置。
【請求項９】
前記突起部は、前記第１の面に、前記除去した組成物を吸引するための吸引溝または吸引孔を有する、ことを特徴とする請求項８に記載の成形装置。
【請求項１０】
前記突起部の一部または全体は、親水化処理が施されている、ことを特徴とする請求項１乃至９のいずれか１項に記載の成形装置。
【請求項１１】
前記突起部は、前記上面に沿う円弧形状または直線形状であり、前記供給部と前記基板とを相対的に移動させる方向と直交する方向の幅が、同方向の前記基板の幅以上である、ことを特徴とする請求項１乃至請求項１０のいずれか１項に記載の成形装置。
【請求項１２】
前記突起部を前記吐出口の方向に進退させる第２の駆動部を有する、ことを特徴とする請求項１乃至１１のいずれか１項に記載の成形装置。
【請求項１３】
前記突起部と対向可能な位置に、前記突起部に付着した前記組成物を除去する除去部を備えることを特徴とする請求項１乃至１２のいずれか１項に記載の成形装置。
【請求項１４】
前記除去部は、前記除去部を前記突起部の方向に進退させる第３の駆動部を有する、ことを特徴とする請求項１３に記載の成形装置。
【請求項１５】
前記突起部と対向可能な位置に配置され、前記突起部に付着した前記組成物の量を計測する検出部を有する、ことを特徴とする請求項１乃至１４のいずれか１項に記載の成形装置。
【請求項１６】
前記検出部において、閾値を超える量の組成物が計測された場合に、警告を出力する制御部を有する、ことを特徴とする請求項１５に記載の成形装置。
【請求項１７】
前記成形装置は、型のパターンを前記組成物に接触させることにより前記組成物のパターンを形成することを特徴とする請求項１乃至１６のうちいずれか１項に記載の成形装置。
【請求項１８】
前記成形装置は、型の平面部を前記組成物に接触させることにより前記組成物を平坦にすることを特徴とする請求項１乃至１６のうちいずれか１項に記載の成形装置。
【請求項１９】
型を用いて基板上の組成物を成形する成形方法であって
吐出口から前記組成物を吐出して、前記基板の上面に前記組成物を供給する工程と、
前記基板を保持する基板保持工程と、
基板保持部に配置され、前記吐出口の下面よりも低く、前記基板保持部に保持された基板の前記上面よりも高い位置に配置される先端を有する突起部を、前記基板に前記組成物が供給される前に、前記吐出口の直下を通過させる工程と、を有する、ことを特徴とする成形方法。
【請求項２０】
請求項１乃至１８のいずれか１項に記載の成形装置を用いて基板上の組成物を成形する工程と、
前記工程で組成物が形成された前記基板を処理する工程と、
処理された前記基板から物品を製造する工程と、を含む、
ことを特徴とする物品の製造方法。
【発明の詳細な説明】
【技術分野】
【０００１】
成形装置、成形方法および、物品製造方法に関する。
【背景技術】
【０００２】
半導体デバイスやＭＥＭＳなどの微細化の要求が進み、従来のフォトリソグラフィー技術に加え、基板上の未硬化樹脂をモールドで成形し、樹脂のパターンを基板上に形成する微細加工技術が注目を集めている。この技術は、インプリント技術とも呼ばれ、基板上に数ナノメートルオーダーの微細な構造体を形成することができる。例えば、インプリント技術の１つとして、光硬化法がある。この光硬化法を採用したインプリント装置では、まず、基板（ウエハ）上のインプリント領域であるショット領域に紫外線硬化樹脂（インプリント材、光硬化性樹脂）の液滴をディスペンサから吐出する。次に、微細な凹凸パターンが加工されたモールドをこの樹脂（未硬化樹脂）上に押し付け、パターン内に樹脂を充填させる。この状態で樹脂に紫外線を照射して硬化させ、その後にモールドを引き離すことにより、樹脂のパターンが基板上に形成される。
【０００３】
微細化とともに、エッチング後の微細パターンを形成するためには樹脂残膜厚をナノメートルレベルに薄型化することが必要となる。そのためにディスペンサは高精度な吐出位置と、微小吐出量コントロールが要求される。ディスペンサは小ノズルからピエゾアクチュエータを用いて吐出する方法がとられている。ディスペンサの性質上、吐出に伴って基板に到達せずにわずかにノズルに残る残液が、ノズルおよびその周辺に蓄積される。この状態のまま吐出を継続して行うと蓄積量が大きくなり、蓄積した残液が意図せず基板上に付着してしまうことが起き得る。
【０００４】
このような問題に対応するため、特許文献１が開示されている。特許文献１では、ワイピングユニットに含まれる吸水シート部の頂部を、ノズルから溶液が吐出される面（吐出面）に接触させることで、吐出面に残留する溶液（塗布液）の拭き取りを行っている。
【先行技術文献】
【特許文献】
【０００５】
【特許文献１】国際公開第１１／０３３８６３号
【発明の概要】
【発明が解決しようとする課題】
【０００６】
しかしながら、吸水シート部の頂部を吐出面に直接押し当てて、拭き取りを行う場合、ノズルへのダメージを考慮して、低速で拭き取りを実施する必要があり、生産性が低下しうる。
【０００７】
本発明は、このような状況を鑑みてなされたものであり、例えば、生産性の向上の点で有利な成形装置を提供することを目的とする。
【課題を解決するための手段】
【０００８】
上記課題を解決するために、本発明は、型を用いて基板上の組成物を成形する成形装置であって、吐出口から組成物を吐出して、基板の上面に組成物を供給する供給部と、基板を保持する基板保持部と、基板保持部に配置され、吐出口の下面よりも低く、基板保持部に保持された基板の上面よりも高い位置に配置される先端を有する突起部と、供給部が基板に組成物を供給する前に、突起部を、吐出口の直下を通過させる第１の駆動部と、を有する、ことを特徴とする。
【発明の効果】
【０００９】
本発明によれば、例えば、生産性の向上の点で有利なインプリント装置を提供することができる。
【図面の簡単な説明】
【００１０】
【図１】第１の実施形態に係るインプリント装置の構成を示す概略図である。
【図２】供給部の構成を示す図である。
【図３】第１の実施形態に係る突起部、供給部、およびその周辺を示す図である。
【図４】第１の実施形態に係る動作シーケンスのフローチャートである。
【図５】各工程におけるウエハステージの動作を説明する図である。
【図６】第２の実施形態に係る突起部の構成を示す概略図である。
【図７】第３の実施形態に係る突起部の配置および形状を説明する図である。
【図８】第４の実施形態に係るインプリント装置の構成を示す概略図である。
【図９】第５の実施形態に係るインプリント装置の構成を示す概略図である。
【図１０】平坦化処理のフローチャートである。
【図１１】物品の製造方法を説明するための図である。
【発明を実施するための形態】
【００１１】
以下の第１〜５実施形態では、型を用いて基板上の組成物を成形する成形装置としてインプリント装置を用いた例について説明する。各図において、同一の部材については、同一の参照番号を付し、重複する説明は省略する。
【００１２】
（第１の実施形態）
まず、第１の実施形態に係るインプリント装置の構成について説明する。図１は、第１の実施形態に係るインプリント装置の構成を示す概略図である。本実施形態におけるインプリント装置１（成形装置）は、半導体デバイス製造工程に使用されうる。インプリント装置１は、被処理基板であるウエハ（基板）上に供給されたインプリント材（組成物）に対してモールド（型、原版、テンプレート）の凹凸パターンを転写（成形）する加工装置である。
【００１３】
インプリント装置１は、ウエハ５上に供給されたインプリント材１４とモールド３とを接触させ、インプリント材に硬化用のエネルギーを与えることにより、モールド３の凹凸パターンが転写された硬化物の組成物を成形する。インプリント材の硬化方法として、光の照射による方法や、他のエネルギー（例えば、熱）による方法がある。本実施形態では、インプリント材１４として紫外線で硬化する光硬化性樹脂を用いた光硬化法を採用する。なお、ウエハ５上に供給されるインプリント材１４とモールド３とを接触させ（押印）、接触状態でインプリント材を硬化させ、硬化したインプリント材から型を剥離（離型）することで型に形成されたパターンを基板上に転写する処理をインプリント処理という。
【００１４】
また、以下の図において、モールド３に対する紫外線の照射軸に平行にＺ軸を取り、該Ｚ軸に垂直な平面内で後述のインプリントヘッド４に対してウエハ５が移動する方向にＸ軸を取り、該Ｘ軸に直交する方向にＹ軸を取って説明する。
【００１５】
本実施形態のインプリント装置１は、照明系ユニット２と、モールド３を保持するインプリントヘッド４と、ウエハ５を保持するウエハステージ６と、供給部７と、搬送部８と、制御部９とを備える。
【００１６】
照明系ユニット２は、インプリント処理の際に、インプリント材に対して紫外線１０を照射する照明手段である。この照明系ユニット２は、光源２０と、該光源から射出された紫外線をインプリントに適切な光に調整するための複数の光学素子と、を含む。なお、熱サイクル法が採用される場合には、光源２０の代わりに、インプリント材としての熱硬化性樹脂を硬化させるための熱源が設けられうる。
【００１７】
モールド３は、例えば、外周部が矩形であり、ウエハ５に対する対向面に所定のパターン（例えば、回路パターン等の凹凸パターン）が３次元状に形成された型（型材、金型）である。凹凸パターンの表面は、ウエハ５の表面との密着性を保つために、高平面度に加工されている。モールド３の材質は、石英等、紫外線を透過させることが可能な材料である。
【００１８】
インプリントヘッド４は、モールド３を保持する型保持部である。インプリントヘッド４は、吸着力や静電力によりモールド３を引きつけて保持するモールド保持部材１１を備える。また、インプリントヘッド４は、モールド保持部材１１を駆動するためのアクチュエータ１２を備える。アクチュエータ１２は、ウエハ５上に供給されたインプリント材１４とモールド３とを接触（押印）させる、及び、引き離す（離型）ために、モールド保持部材１１をＺ方向に駆動可能にする。インプリントヘッド４は、Ｚ方向にモールド３を移動させる機能だけでなく、ＸＹ方向やθ方向（Ｚ軸周りの回転方向）におけるモールド３の位置を調整する調整機能や、モールド３の傾きを補正するためのチルト機能などを有していてもよい。アクチュエータ１２は、リニアモータが望ましい。
【００１９】
インプリントヘッド４の周辺には、インプリントヘッド４を取り囲むように複数の吹出口４０が設けられている。吹出口４０は、気体供給部（不図示）と接続されており、モールド３とウエハ５のショット領域上のインプリント材１４との接触が行われる位置である押印位置を含む処理空間を画定するようなガスカーテンを形成する気体をインプリント装置１内に供給する。具体的には、インプリントヘッド４と供給部７との間に吹出口４０を設け、上記処理空間と供給部７によってインプリント材の吐出処理が行われる吐出作業空間とを仕切るようなガスカーテンを形成するための気体を、吹出口４０から供給する。エアカーテン用ガスは、パーティクルが少ない気体であればよく、例えばクリーンドライエア（以下「ＣＤＡ」と略記する。）でよい。または、必要に応じて、パーティクル除去フィルタを通過させたＣＤＡであってもよい。
【００２０】
ウエハ５は、例えば、単結晶シリコンからなる被処理基板であり、被処理面のショット領域には、供給部７によってインプリント材１４が供給される。
【００２１】
ウエハステージ６は、ウエハ５を、例えば、真空吸着力や静電力などにより保持し、ＸＹ平面内を自由に移動可能な基板保持部である。ウエハステージ６は、ＸＹ方向にウエハ５を移動させる機能だけでなく、Ｚ方向にウエハ５を移動させる機能や、θ方向におけるウエハ５の位置を調整する調整機能などを有していてもよい。ここで、本実施形態のインプリント装置１００では、モールド３とウエハ５との間の距離（Ｚ方向）を変える動作がインプリントヘッド４によって行われるが、それに限られず、ウエハステージ６によって行われてもよいし、双方で相対的に行われてもよい。ウエハステージ６を駆動するためのアクチュエータ６１としては、リニアモータが採用可能であるが、特に限定するものではない。ウエハステージ６上には、ウエハ保持部材１３が配置され、ウエハ保持部材１３は、ウエハ５を真空吸着力や静電力などにより保持する。また、ウエハステージ６は、突起部１５を備える。突起部１５の詳細については後述する。
【００２２】
供給部７は、ウエハ５上に未硬化のインプリント材１４を供給する供給手段である。本実施形態に係るインプリント材１４は、硬化用のエネルギーが与えられることにより硬化する硬化性組成物（未硬化状態の樹脂と呼ぶこともある）が用いられる。硬化用のエネルギーとしては、電磁波、熱等が用いられうる。電磁波は、例えば、その波長が１０ｎｍ以上１ｍｍ以下の範囲から選択される光、例えば、赤外線、可視光線、紫外線などでありうる。硬化性組成物は、光の照射により、あるいは、加熱により硬化する組成物でありうる。これらのうち、光の照射により硬化する光硬化性組成物は、少なくとも重合性化合物と光重合開始剤とを含有し、必要に応じて非重合性化合物または溶剤を更に含有してもよい。非重合性化合物は、増感剤、水素供与体、内添型離型剤、界面活性剤、酸化防止剤、ポリマー成分などの群から選択される少なくとも一種である。インプリント材１４の粘度（２５℃における粘度）は、例えば、１ｍＰａ・ｓ以上１００ｍＰａ・ｓ以下でありうる。インプリント材１４、製造する半導体デバイスの種類により適宜選択される。
【００２３】
図２は、供給部７の構成を示す図である。供給部７は、例えば、インプリント材を収容するタンク７１と、タンク７１に収容されたインプリント材１４をウエハ５に向けてそれぞれ吐出する複数のノズル７２（吐出口）を有するディスペンサ７３とを含む。ウエハ５のショット領域上にインプリント材１４を供給する方法としては、例えば、ウエハ５と供給部７とが相対的に移動している状態で各ノズル７２からインプリント材１４を液滴としてウエハ５に向けて吐出する方法がある。
【００２４】
図２（Ａ）は供給部７の断面を示す図であり、図２（Ｂ）は供給部７を−Ｚ方向から見たときの図である。複数のノズル７２は、例えば、ウエハ５のショット領域上にインプリント材１４を供給する際に供給部７とウエハ５とを相対的に移動させる方向（ここでは、Ｘ方向）と異なる方向（ここでは、Ｙ方向）に沿って配列している。また、複数のノズル７２の各々には、インプリント材１４の吐出を制御するための制御素子（例えば圧電素子）が設けられている。制御素子に信号（例えばパルス信号）が供給されると、制御素子がインプリント材１４をノズル７２から押し出し、当該ノズル７２から所定量のインプリント材１４（液滴）を吐出させることができる。制御素子は、供給される信号の値に応じてノズルから吐出されるインプリント材１４の量（吐出量）を制御するように構成されうる。
【００２５】
図１に戻り、搬送部８は、ウエハ５を搬送し、ウエハ保持部材１３にモールド３を設置する搬送手段である。
【００２６】
制御部９は、インプリント装置１の各構成要素を、例えば、各検出器の計測値に基づき、動作、及び調整等の制御を行う制御手段である。制御部９は、インプリント装置１の各構成要素に回線により接続された、磁気記憶媒体等の記憶手段を有するコンピュータ（不図示）、又はシーケンサ（不図示）等を含み、プログラム又はシーケンスにより各構成要素の制御を実行する。制御部９は、インプリント装置１と一体で構成してもよいし、インプリント装置１とは別の場所に設置し、遠隔で制御する構成としてもよい。
【００２７】
次に、第１の実施形態に係る突起部１５について説明する。図１に示す通り、ウエハステージ６は、ウエハ５の載置面に突起部１５を有する。図３は、第１の実施形態に係る突起部１５、供給部７、およびその周辺を示す図である。図３（Ａ）は、突起部１５の先端部１８の高さを説明する図である。突起部１５の先端部１８は、最上部（ノズル７２の下面と最も近い部分）の高さＨ３がノズル７２の下面の高さＨ２より低く、ウエハ５の上面高さＨ１より高い位置に配置されている。なお、ノズル７２の、突起部１５の先端部１８と最も近い部分が、面でない場合は、前述のノズル７２の下面は、ノズル７２の、突起部１５の先端部１８と最も近い点（最下点）と読み替えるものとする。
【００２８】
これにより、ウエハステージ６のアクチュエータ６１が、ウエハステージ６を水平方向（ここではＸ方向）へ駆動することで、ノズル７２の直下を突起部１５が通過した際に、ノズル７２またはその周辺に溜まった残液２２（インプリント材）を、突起部１５の先端部１８に付着させて除去することができる。
【００２９】
突起部１５の材質は金属汚染、パーティクルの発生、残液２２による劣化を抑制するために、例えば、ＰＴＦＥ（ポリテトラフルオロエチレン）、ＰＦＡ（パーフルオロアルコキシアルカン）、ＰＶＤＦ（ポリフッ化ビニリデン）などのフッ素系樹脂が望ましい。さらに、帯電防止処理を施したものを採用することで帯電によるパーティクルを抑制することができる。
【００３０】
また、突起部１５は、ウエハステージ６に保持されたウエハ５に対して、インプリント材の供給時のウエハステージ６の進行方向側（ここでは、−Ｘ方向側）に配置される。ウエハ５上の一つのショット領域に対してインプリント処理が完了すると、ウエハステージ６は、次のショット領域にインプリント材を供給するために、押印位置から、次のショット領域とノズル７２とが対向する位置へと移動する。この際の進行方向側（ここでは、−Ｘ方向側）に突起部１５を配置することにより、供給部７がウエハ５にインプリント材１４を供給する前に、突起部１５がノズル７２の直下を通過することとなる。よって、ウエハ５にインプリント材が供給される前に残液２２を除去することが可能となり、ウエハ５上に残液２２が落下する等して、ウエハに残液２２が付着することを低減することが可能となる。
【００３１】
なお、ここでＨ２とＨ１の差は着弾精度を高精度にするためにはなるべく近いほうがよいが、装置誤差による干渉を防ぐため安全面を考慮して２５０〜５００ｕｍ程度になるように調整されている。従って、突起部１５は先端部１８の最上部が、Ｈ２−Ｈ３＝５０ｕｍ〜２００ｕｍを満たす位置、言い換えると、先端部１８の高さがノズル７２の下面よりも５０ｕｍ〜２００ｕｍ低い位置に配置されることが望ましい。
【００３２】
また、供給部７の付近には排気機構１７を有する排気部１６が設けられている。排気機構１７は、供給部７がインプリント材を吐出する際にウエハ５に到達する主滴以外にわずかに発生する噴霧状の小滴を回収し、さらに、突起部１５によって除去された残液２２を回収する。排気機構１７は、突起部１５と対向可能な位置であって、供給部７に対して、突起部１５がノズル７２の直下を通過する際の進行方向側（ここでは、−Ｘ方向側）に配置される。排気機構１７は、供給部７がウエハ５の上面にインプリント材を供給する際の排気量よりも、突起部１５がノズル７２の直下を通過する際の排気量が大きくなるように排気機構１７の排気量を調整する調整部２９（図１に図示）を備える。
【００３３】
調整部２９は、突起部１５がノズル７２の直下を通過して残液２２を除去する際の流量が、供給部７がウエハ５の上面にインプリント材を供給する際の流量と比較して大きくなるように調整することができる。調整部２９としては、例えば、絞りや切換え弁であってもよい。ウエハ５の上面にインプリント材が供給される際の排気機構１７の排気量は、インプリント材の液滴の着弾精度を高精度に維持し、かつ、噴霧状のインプリント材を回収できるように最適化される。一方、突起部１５によって除去された残液２２、言い換えると、突起部１５に付着した残液２２の回収時には、強い吸引力に変更され、積極的に突起部１５に付着した残液２２を回収する。
【００３４】
このように排気量が調整されることにより、噴霧状のインプリント材に起因するパーティクルの発生を低減し、かつ、突起部１５に付着した残液２２の回収を効率的に行うことが可能となる。
【００３５】
さらに、ウエハステージ６のアクチュエータは、突起部１５がノズル７２の直下を通過する際の移動速度を他の動作の際の移動速度、例えば、隣接ショット領域へのステップ駆動時の速度よりも遅くする。例えば、ステップ駆動時には１０００ｍｍ／ｓ程度であるが１／２以下である５００ｍｍ／ｓ以下にすることが望ましい。突起部１５がノズル７２の直下を通過する際のウエハステージ６速度を、他の動作の際の駆動に比べて遅く設定することで、突起部１５による残液２２の除去効率を高くすることができる。
【００３６】
また、ウエハステージ６には、受部１９が備えられていてもよい。受部１９は、一定量のインプリント材を収容できる収容トレイとして機能する。受部１９には、例えば、供給部７により、インプリント材１４がウエハ５の上面に供給される前に、インプリント材１４が吐出される（事前吐出）。ディスペンス方式のインプリント材の供給においては、ノズル７２の詰まりなどにより、ノズル７２からインプリント材が正常に吐出されない場合がある。インプリント材１４をウエハ５に供給する前に受部１９に吐出することにより、ノズル７２に詰まったインプリント材や粘度変化したインプリント材が事前に排出され、供給部７の吐出性能が安定する。
【００３７】
さらに、インプリント装置１のアイドル時などにも定期的に受部１９にインプリント材を吐出することでノズル７２の詰まりを防止することも可能となる。受部１９がノズル７２の直下になるようにウエハステージ６を移動して、定期的にノズル７２からインプリント材を吐出させる。このような構成とすることにより、ウエハ５上に正常にインプリント材１４を供給することが可能となり、パターン欠陥の発生を抑制することが可能となる。
【００３８】
また、受部１９を、突起部１５に対して、突起部１５がノズル７２の直下を通過する際の進行方向側（ここでは、−Ｘ方向）に配置し、かつ、突起部１５と一体に構成することで、突起部１５によって除去された残液２２が受部１９内に回収される。このように、構成することで、受部１９に突起部１５によって除去された残液２２の回収機能を持たせることも可能である。このような構成とすることで、排気部１６を備えずに、装置の構成を簡易化させてもよい。
【００３９】
図３（Ｂ）は、突起部１５を＋Ｚ方向から見た図である。また、図３（Ｃ）は、突起部１５の断面図である。先端部１８の、ウエハステージ６に保持されたウエハ５とは反対側の面（ここでは、−Ｘ方向側の面）である第１の面１８ａは傾斜している。先端部１８の、ウエハステージ６に保持されたウエハ５側の面（ここでは、＋Ｘ方向側の面）を第２の面１８ｂとする場合、第１の面１８ａと、第２の面１８ｂとが成す角度θを、９０°以下としてもよい。このような構成とすることにより、突起部１５に付着した残液２２がウエハ５とは反対の方向つまり、排気部１６または受部１９が配置されている方向に向かって移動しやすくなる。よって、排気部１６または受部１９による残液２２の回収をより効率的に行うことができる。
【００４０】
次に、第１の実施形態に係る動作シーケンスを説明する。図４は、第１の実施形態に係る動作シーケンスのフローチャートである。各フローは、主に制御部９による各部の制御により実行されうる。まず、搬送部８によりウエハ５が装置外から装置内へと搬送され、ウエハステージ６上に載置される（Ｓ１０１）。
【００４１】
次に、突起部１５が＋Ｘ方向から−Ｘ方向へ向かってノズル７２直下を通過するようにウエハステージ６が駆動する（Ｓ１０２）。図１及び図３に示す通り、突起部１５は、ウエハステージ６に保持されたウエハ５に対して、インプリント材の供給時のウエハステージ６の進行方向側（−Ｘ方向側）に配置されている。そのため、ノズル７２およびその周辺に溜まった残液２２はウエハ５とは反対の方向つまり、受部１９または排気部１６、が配置されている方向に向かって移動する。これにより除去された残液２２がウエハ５方向に飛び散らず、受部１９側に蓄積または排気部１６によって回収されることになる。
【００４２】
次に、ウエハ５上のショット領域のうち、インプリント材を供給したいショット領域と、ノズル７２とが対向する位置（供給位置）へと、ウエハステージ６によりウエハ５を移動させる（Ｓ１０３）。ウエハステージ６を供給位置で停止または駆動させながら、ノズル７２からインプリント材を吐出させ、ウエハ５上にインプリント材を供給する（Ｓ１０４）。次に、インプリント材が供給されたショット領域がモールド３と対向する位置（押印位置）となるように、ウエハステージ６を駆動する（Ｓ１０５）。
【００４３】
次に、インプリントヘッド４内のアクチュエータ１２により、モールド３とウエハ５上のインプリント材１４とを接触させる押印動作を行う（Ｓ１０６）。モールド３とウエハ５上のインプリント材１４とを接触させることよりインプリント材がモールド３の凹凸パターン内に広がる。モールド３の凹凸パターン内へのインプリント材の充填が完了したら、照明系ユニット２により光（紫外線）をインプリント材に照射し、インプリント材を硬化させる（Ｓ１０７）。硬化が完了したら、アクチュエータ１２によりモールド３をウエハ５から引きはがす（剥離する）離型動作を行う（Ｓ１０８）。
【００４４】
その後、同じウエハ上にインプリント処理を実施する次のショット領域（インプリント処理が行われていないショット領域）があるかを確認する（Ｓ１０９）。次のショット領域がある場合（Ｓ１０９、ＹＥＳ）、再度Ｓ１０２〜Ｓ１０８を繰り返す。なお、ノズル７２からの吐出数が少ない場合はノズル７２の蓄積している残液２２が少ないため、複数のショット領域に対しインプリント処理を行った（Ｓ１０３〜Ｓ１０８を繰り返した）後にＳ１０２に移行してもよい。すなわち、次のショット領域がある場合（Ｓ１０９、ＹＥＳ）、Ｓ１０３〜Ｓ１０８を所定回数繰り返したのちに、Ｓ１０２を行ってもよい。さらに、例えば、ウエハ５を交換した直後にのみＳ１０２を実施することでもよい。このようにすることで、生産性をさらに向上させることが可能となる。
【００４５】
一方、Ｓ１０９において、次のショット領域がない場合（ＮＯ）、ウエハ５を搬送部８によって、回収し、装置内から装置外へと搬送する。
【００４６】
次に、各工程におけるウエハステージ６の動作について説明する。図５は、各工程におけるウエハステージ６の動作を説明する図である。本図は、Ｓ１０２〜Ｓ１０６のそれぞれの状態を装置上面（＋Ｚ方向）から見た図である。図５（Ａ）は、Ｓ１０２の動作を示している。ウエハステージ６は、突起部１５が＋Ｘ方向から−Ｘ方向へ向かってノズル７２直下を通過するように駆動する。
【００４７】
図５（Ｂ）は、Ｓ１０３〜Ｓ１０４の動作を示している。ウエハステージ６は、Ｓ１０２の位置から供給位置へと、ウエハ５を移動させ、供給位置で停止またウエハ５上にインプリント材を供給するための駆動を行う。図５（Ｃ）は、Ｓ１０５〜Ｓ１０６の動作を示している。ウエハステージ６は、供給位置から、押印位置へと、駆動する。
【００４８】
ウエハステージ６は、インプリント装置の生産性に大きく寄与するため、高速、高加速度で動作できるように設計されている。そのため本実施形態のように突起部１５をウエハステージ６上に配置することにより、新たに駆動機構を設けることをせずとも、短時間でノズル７２またはその周辺に蓄積した残液２２を除去し、残液２２がウエハへの付着することを抑制することが可能となる。また、生産性低下を最小限にすることも可能になる。
【００４９】
なお、本実施形態では、ノズル７２に直接吸液材を接触させて、残液２２を拭き取る機構を示していないが、ウエハステージ６とは別の駆動可能なステージを設け、このステージ上にノズル７２と接触して残液２２を拭き取る機構を設けてもよい。
【００５０】
（第２の実施形態）
次に、第２の実施形態に係るインプリント装置について説明する。図６は、第２の実施形態に係る突起部１５の構成を示す概略図である。図６（Ａ）は、突起部１５の先端部１８に吸気用の溝２３（吸引溝）および孔２４（吸引孔）を設けた例を示す図である。先端部１８の第１の面１８ａに負圧配管（不図示）から繋がる孔２４および溝２３を設ける。これにより、突起部１５が除去した残液２２の回収を効率的に行えるようになる。
【００５１】
また、第１の面１８ａは傾斜しているため、第１の面１８ａに孔２４および溝２３を設けることにより、除去された残液２２が孔２４および溝２３へ向かって流れる。このため、より残液２２の回収がし易い。
【００５２】
図６（Ｂ）は、突起部１５ではなく受部１９に吸気用の溝および孔を設けた例を示す図である。この場合は受部１９に周期的に吐出したインプリント材と、突起部１５によって除去した残液２２の両方を回収し、受部１９外へ排出することができる。
【００５３】
図６（Ｃ）は、突起部１５に親水化処理２５を施した例である。突起部１５を親水性にすることで残液２２が突起部１８に付着しやすくなり、結果回収の効率を上げることができる。親水化処理２５の材料としては、Ｔｒａｎｓｐｉｎ、Ｖａｌｍａｔ、ポリイミドフィルムなどを用いることができる。親水化処理２５は、突起部１５の全体に施されていてもよいし、先端部１８のみなど、一部に施されていてもよい。
【００５４】
（第３の実施形態）
次に、第３の実施形態に係るインプリント装置について説明する。図７は、第３の実施形態に係る突起部１５の配置および形状を説明する図である。図７（Ａ）および（Ｂ）は、それぞれ突起部１５をウエハ５に対して−Ｘ方向側に配置し、Ｙ方向を広範囲まで延ばした例を示す図である。
【００５５】
突起部１５をウエハ５に対して−Ｘ方向側、すなわち、インプリント材の供給時のウエハステージ６の進行方向側に配置する。これにより、インプリント材の供給時にウエハステージ６をアクチュエータによって−Ｘ方向に駆動させる際に、突起部１５をノズル７２の直下を通過させることが可能となる。すなわち、供給部７がウエハ５にインプリント材を供給する前に、突起部１５がノズル７２の直下を通過することとなる。また、ウエハステージ６を−Ｘ方向に駆動しながら、ノズル７２の残液２２を除去することで、ウエハ５側に除去された残液２２が付着し難い。
【００５６】
さらに、突起部１５とショット領域Ｓとは、インプリント材の供給時のウエハステージ６の進行方向（ここでは、Ｘ方向）に伸びる同一直線上に配置されるのが望ましい。なお、ここで同一直線上に配置されるとは、突起部１５の中心とショット領域Ｓの中心とが同一直線上に位置する場合に限られない。
【００５７】
例えば、突起部１５の、インプリント材の供給時のウエハステージ６の進行方向と直交する方向（ここでは、Ｙ方向）の幅を、同方向のウエハ５のショット領域Ｓの範囲の幅Ｗ以上とする。このようにすることにより、いずれのショット領域Ｓに対してインプリント処理を行う場合でも、Ｙ方向への駆動を少なくして、または、Ｘ方向の駆動のみで、ノズル７２の直下を突起部１５が通過することができるため、生産性が向上する。
【００５８】
さらに、突起部１５を、ウエハステージ６に保持されたウエハ５と所定距離以下の位置に配置してもよい。突起部１５をウエハ５の近くに配置することにより、突起部１５により残液２２を除去する際の移動距離を少なくすることが可能となり、生産性を向上させることが可能となる。
【００５９】
図７（Ａ）では、突起部１５ａは直線的に延ばした形状（直線形状）である。このような形状とする場合、突起部１５ａの製造の観点で有利になる。また図７（Ｂ）では、突起部１５ｂはウエハ５の外周に沿う形状、言い換えると、ウエハ５の上面に沿う円弧形状である。このようにすることにより、ウエハステージ６上に配置される部材の配置自由度を高めることができ、小スペース化も可能となる。本実施形態では、装置スペースを最小にするために、押印位置に対して、供給部７が−Ｘ方向に配置されているため、このような配置としているが、＋Ｘ方向に供給部７が配置されている場合は、突起部１５はウエハ５に対して＋Ｘ方向側に配置する方が望ましい。また、装置構成においてウエハステージ６をＹ方向に駆動して残液２２を除去する場合にはブレードはＹ方向に配置することになる。
【００６０】
さらに、突起部１５は、モールド３とウエハ５のショット領域上のインプリント材との接触時において、吹出口４０よりも、ノズル７２側に配置されてもよい。つまり、突起部１５は、モールド３とインプリント材との接触時において、吹出口４０と対向する位置よりもノズル７２と対向する位置側（ここでは、−Ｘ方向側）に配置されてもよい。このような位置に突起部１５を配置することにより、エアカーテンによって、突起部１５に付着した残液２２から揮発したインプリント材がインプリント位置へ侵入することを抑制することができ、パターン欠陥を抑制することが可能となる。
【００６１】
なお、受部１９についても、突起部１５と同様の配置および形状としてよい。また、前述の通り、突起部１５と受部１９とは、一体に構成してもよい。また、突起部１５および受部１９はウエハステージ６上に複数配置されても良い。
【００６２】
（第４の実施形態）
次に、第４の実施形態に係るインプリント装置４００について説明する。図８は、第４の実施形態に係るインプリント装置４００の構成を示す概略図である。インプリント装置４００は、拭き取り部２６（除去部）を備える例である。拭き取り部２６は、ウエハステージ６上に配置された突起部１５と対向可能な位置に配置される。また、拭き取り部２６は、突起部１５の方向（ここでは、Ｚ方向）に拭き取り部２６を進退させるための駆動機構２７を有する。拭き取り時は、拭き取り部２６が突起部１５の直上になるようにウエハステージ６を駆動し、駆動機構２７によって、拭き取り部２６を突起部１５に対して押し付ける方向（ここでは、−Ｚ方向）に駆動する。これにより、突起部１５に付着した残液２２を物理的に接触して拭き取る（除去する）ことが可能となる。
【００６３】
なお、突起部１５に駆動機構を設けて、拭き取り部２６の方向（ここでは、Ｚ方向）に突起部１５を進退させることで、突起部１５に付着した残液２２を除去してもよい。
【００６４】
さらに、突起部１５に付着した残液２２の量を観察および計測する検知センサ２８（検出部）を有していてもよい。検知センサ２８は、突起部１５と対向可能な位置に配置され、ウエハステージ６を駆動させて検知センサ２８の直下に突起部１５を移動することで、検知センサ２８による計測が可能となる。検知センサ２８としては、例えば、変位センサやカメラが利用できる。
【００６５】
例えば、検知センサ２８で、突起部１５に所定の閾値を超える量の残液２２が計測された場合に、拭き取りを実施してもよいし、拭き取りを実施するように装置上にアラート（警告）を出力してもよい。この実施形態によれば、突起部１５に過剰の残液２２が蓄積することによる除去効率の低下や、ウエハ５へ残液２２の付着を抑制することができる。
【００６６】
（第５の実施形態）
次に、第５の実施形態に係るインプリント装置５００について説明する。図９は、第５の実施形態に係るインプリント装置５００の構成を示す概略図である。インプリント装置５００は、突起部１５をノズル７２の方向（ここではＺ方向）に進退させる駆動部を備え、突起部１５の高さを調整することが可能である。突起部１５をＺ方向に進退させる駆動部としては、例えば、ウエハステージ６上にダイヤフラム３０および加圧エアを封止する空間３１を有し、不図示の外部からのエア圧力をコントロールして突起部１５の高さを調整してもよい。
【００６７】
これにより、ノズル７２の下面と突起部１５との隙間を高精度に設定値に合わせることができる。例えば、供給部７の高さ個体差が大きい場合は、隙間をなるべく近づけて除去効率を上げることができる。また、この機構を使って拭き取り部２６に突起部１５を押し当てることも可能になるため、第４の実施形態の駆動機構２７を省略することができる。なお、本実施形態では一例としてダイヤフラムと加圧エアを封止する空間の構成であるが、エアシリンダやリニアアクチュエータとガイド機構を駆動部として用いてもよい。
【００６８】
（第６の実施形態）
上述の実施形態では、成形装置としてインプリント装置を用いた例を説明したが、第６の実施形態は、成形装置の例として、基板の上に平坦化層を形成する形成処理を行う平坦化装置について説明する。なお、ここで言及しない事項は、前述の実施形態に従い得る。
【００６９】
前述の実施形態では、モールド３として、凹凸パターンを設けた回路パターン転写用の型について述べたが、凹凸パターンがない平面部を有するモールド（平面テンプレート）であってもよい。平面テンプレートは、平面部によって基板上の組成物を平坦化するように成形する平坦化処理（成形処理）を行う平坦化装置（成形装置）に用いられる。平坦化処理は、基板上に供給された硬化性組成物に平面テンプレートの平坦部を接触させた状態で、光の照射によって、或いは、加熱によって硬化性組成物を硬化させる工程を含む。
【００７０】
平坦化装置では、平面テンプレートを用いて、基板の上に平坦化層を形成する。基板上の下地パターンは、前の工程で形成されたパターン起因の凹凸プロファイルを有しており、特に近年のメモリ素子の多層構造化に伴いプロセス基板は１００ｎｍ前後の段差を持つものも出てきている。基板全体の緩やかなうねりに起因する段差は、フォト工程で使われているスキャン露光装置のフォーカス追従機能によって補正可能である。しかし、露光装置の露光スリット面積内に収まってしまうピッチの細かい凹凸は、そのまま露光装置のＤＯＦ（Ｄｅｐｔｈ  Ｏｆ  Ｆｏｃｕｓ）を消費してしまう。基板の下地パターンを平滑化する従来手法としてＳＯＣ（Ｓｐｉｎ  Ｏｎ  Ｃａｒｂｏｎ）、ＣＭＰ（Ｃｈｅｍｉｃａｌ  Ｍｅｃｈａｎｉｃａｌ  Ｐｏｌｉｓｈｉｎｇ）のような平坦化層を形成する手法が用いられている。しかし従来技術では十分な平坦化性能が得られない問題があり、今後多層化による下地の凹凸差は更に増加する傾向にある。
【００７１】
この問題を解決するために、本実施形態の平坦化装置は、基板に予め塗布された未硬化の組成物に対して平面テンプレート（平面プレート）を押し当てて基板面内の局所平面化を行う。本実施形態において、平坦化装置の構成は、図１に示したインプリント装置１と概ね同様とすることができる。ただし平坦化装置では、凹凸パターンが形成されたパターン部を有する型の代わりに、基板と同じかそれより大きい面積の平面プレートを使用し、基板の上の組成物層の全面に接触させる。型保持部は、そのような平面プレートを保持するように構成される。
【００７２】
図１０は、本実施形態における平坦化装置による処理を説明する図である。図１０（Ａ）は、基板上に組成物を供給し、平面プレート９０を接触させる前の状態を示している。図１０（Ａ）に示すように、下地パターン９１が形成されているウエハ５に対して、供給部７からインプリント材１４を供給する。図１０（Ａ）は、ウエハ５上にインプリント材１４を供給し、平面プレート９０を接触させる前の状態を示している。次いで、図１０（Ｂ）に示すように、基板上のインプリント材１４とモールド１の平面部９２とを接触させる。図１０（Ｂ）は、平面プレート９０の平面部９２が基板上のインプリント材１４に完全に接触し、平面プレート９０の平面部９２がウエハ５の表面形状に倣った状態を示している。そして、図１０（Ｂ）に示す状態で、照明系ユニット２から、平面プレート９０を介して、基板上のインプリント材１４に光を照射してインプリント材１４を硬化させる。次に、図１０（Ｃ）に示すように、ウエハ５上の硬化したインプリント材１４から平面プレート９０を引き離す。これにより、ウエハ５の全面で均一な厚みのインプリント材１４の層（平坦化層）を形成することができる。図１０（Ｃ）は、基板上にインプリント材１４の平坦化層が形成された状態を示している。
【００７３】
上述したように、実際の基板はパターンの段差のみでなく、基板全面で凹凸をもっているため、その凹凸の影響により、平面プレート９０が組成物と接触するタイミングが異なる。本実施形態では、最初に接触した位置では、接触直後から組成物の移動が始まるが、その程度に応じて組成物を多く配置している。また、最後に接触した位置では、組成物の移動の始まりが遅く、周辺から流入する組成物が加わるが、その程度に応じて組成物の量を減らしている。このような対処により、基板全面で均一な厚みの平坦化層を形成することができる。
【００７４】
前述の実施形態に係る発明は、本実施形態の平坦化装置についても同様に適用することができる。
【００７５】
（物品製造方法の実施形態）
インプリント装置を用いて形成した硬化物のパターンは、各種物品の少なくとも一部に恒久的に、或いは各種物品を製造する際に一時的に、用いられる。物品とは、電気回路素子、光学素子、ＭＥＭＳ、記録素子、センサ、或いは、型等である。電気回路素子としては、ＤＲＡＭ、ＳＲＡＭ、フラッシュメモリ、ＭＲＡＭのような、揮発性或いは不揮発性の半導体メモリや、ＬＳＩ、ＣＣＤ、イメージセンサ、ＦＰＧＡのような半導体素子等が挙げられる。型としては、インプリント用のモールド等が挙げられる。
【００７６】
硬化物のパターンは、上記物品の少なくとも一部の構成部材として、そのまま用いられるか、或いは、レジストマスクとして一時的に用いられる。ウエハの加工工程においてエッチング又はイオン注入等が行われた後、レジストマスクは除去される。
【００７７】
次に、物品の具体的な製造方法について説明する。図１１（Ａ）に示すように、絶縁体等の被加工材２ｚが表面に形成されたシリコンウエハ等のウエハ１ｚを用意し、続いて、インクジェット法等により、被加工材２ｚの表面にインプリント材３ｚを付与する。ここでは、複数の液滴状になったインプリント材３ｚがウエハ上に付与された様子を示している。
【００７８】
図１１（Ｂ）に示すように、インプリント用のモールド４ｚを、その凹凸パターンが形成された側をウエハ上のインプリント材３ｚに向け、対向させる。図１１（Ｃ）に示すように、インプリント材３ｚが付与されたウエハ１ｚとモールド４ｚとを接触させ、圧力を加える。インプリント材３ｚはモールド４ｚと被加工材２ｚとの隙間に充填される。この状態で硬化用のエネルギーとして光をモールド４ｚを透して照射すると、インプリント材３ｚは硬化する。
【００７９】
図１１（Ｄ）に示すように、インプリント材３ｚを硬化させた後、モールド４ｚとウエハ１ｚを引き離すと、ウエハ１ｚ上にインプリント材３ｚの硬化物のパターンが形成される。この硬化物のパターンは、モールドの凹部が硬化物の凸部に、モールドの凹部が硬化物の凸部に対応した形状になっており、即ち、インプリント材３ｚにモールド４ｚの凹凸パターンが転写されたことになる。
【００８０】
図１１（Ｅ）に示すように、硬化物のパターンを耐エッチングマスクとしてエッチングを行うと、被加工材２ｚの表面のうち、硬化物が無いか或いは薄く残存した部分が除去され、溝５ｚとなる。図１１（Ｆ）に示すように、硬化物のパターンを除去すると、被加工材２ｚの表面に溝５ｚが形成された物品を得ることができる。ここでは硬化物のパターンを除去したが、加工後も除去せずに、例えば、半導体素子等に含まれる層間絶縁用の膜、つまり、物品の構成部材として利用してもよい。
【００８１】
なお、モールド４ｚとして、凹凸パターンを設けた回路パターン転写用の型を用いた例について述べたが、凹凸パターンがない平面部を有する型（平面テンプレート）であってもよい。
【００８２】
（その他の実施形態）
以上、本発明の好ましい実施形態について説明したが、本発明は、これらの実施形態に限定されず、その要旨の範囲内で種々の変形および変更が可能である。
【符号の説明】
【００８３】
１    インプリント装置
２    照明系ユニット
３    モールド
４    インプリントヘッド
５    ウエハ
６    ウエハステージ
７    供給部
８    搬送部
９    制御部
１２    アクチュエータ
１４    インプリント材
１５    突起部
１６    排気部
１７    排気機構
１８    先端部
１９    受部
２１    ノズル
２２    残液
【図１】
2020136347.tif 000003
【図２】
2020136347.tif 000004
【図３】
2020136347.tif 000005
【図４】
2020136347.tif 000006
【図５】
2020136347.tif 000007
【図６】
2020136347.tif 000008
【図７】
2020136347.tif 000009
【図８】
2020136347.tif 000010
【図９】
2020136347.tif 000011
【図１０】
2020136347.tif 000012
【図１１】
2020136347.tif 000013